(57)【特許請求の範囲】
【請求項１】
浴槽内の被濾過水を循環する循環回路と、前記循環回路に設けられ被濾過水を循環せしめる強制循環手段と、被濾過水に含まれる懸濁物質を電気分解生成物質により凝集する凝集手段と、前記凝集手段の下流側に設けられ前記凝集手段で形成した凝集フロックを濾過する濾過手段と、前記濾過手段に濾過時とは逆方向に通水して前記濾過手段を洗浄する洗浄手段と、前記循環回路に接続された給湯手段と、前記濾過手段を洗浄する際の洗浄水を、先に前記給湯手段から供給される高温水に、次に浴槽の水に切替える洗浄水切替制御手段を備えた浴水浄化装置。
【請求項２】
濾過手段を、給湯手段から供給する高温水で所定時間洗浄した後、浴槽の水を用いて所定時間洗浄する様に洗浄水切替制御手段を制御する請求項１記載の浴水浄化装置。
【請求項３】
洗浄手段に洗浄排水の汚れ度を検知する排水センサーを備え、前記排水センサーで検知した洗浄排水の汚れ度が所定値以下になれば、洗浄水切替制御手段で給湯手段から供給する高温水を浴槽内の水に切り替える様に制御する請求項１項記載の浴水浄化装置。
【請求項４】
給湯手段から供給する高温水の温度を６０℃以上とする請求項１記載の浴水浄化装置。
【請求項５】
浴槽内の被濾過水を循環する循環回路と、前記循環回路に設けられ被濾過水を循環せしめる強制循環手段と、被濾過水に含まれる懸濁物質を電気分解生成物質により凝集する凝集手段と、前記凝集手段の下流側に設けられ前記凝集手段で形成した凝集フロックを濾過する濾過手段と、前記濾過手段に濾過時とは逆方向に通水して前記濾過手段を洗浄する洗浄手段と、循環回路の浴槽近傍の往き管及び戻り管をバイパスするバイパス回路と、前記循環回路に設けられた水温制御手段と、濾過手段及び前記水温制御手段を含む前記循環回路及び前記バイパス回路で閉回路を構成する閉回路形成手段を備え、閉回路を形成した状態で前記水温制御手段を動作させ、高温水を所定時間循環した後、濾過手段を浴槽の水を用いて洗浄する制御装置を有する浴水浄化装置。
【請求項６】
入浴時間帯設定手段と、濾過手段の目詰まり検知手段を備え、入浴設定時間帯に前記濾過手段の目詰まりを検知した場合は、洗浄水切替制御手段により、給湯手段から供給する高温水で濾過手段を所定時間洗浄した後、給湯手段の加熱部を停止し所定時間低温水で洗浄する請求項１記載の浴水浄化装置。
【請求項７】
濾過手段内に洗浄液を供給する洗浄液供給手段を備え、濾過手段の洗浄前に洗浄液を濾過手段内に供給する請求項１ないし６のいずれか１項記載の浴水浄化装置。
【請求項８】
入浴時間帯設定手段を備え、入浴設定時間帯の前後に濾過手段を洗浄する様にした請求項１ないし７のいずれか１項記載の浴水化装置。
【発明の詳細な説明】
【０００１】
【発明の属する技術分野】
本発明は、業務用あるいは家庭用として風呂水を浄化する水浄化装置の技術に関するものである。
【０００２】
【従来の技術】
従来のこの種の浴水浄化装置としては、図７に示すように、微生物の有機物分解作用を利用した浄化装置の濾過器を、浴水を利用して洗浄する濾過器洗浄機能と、濾過器を洗浄する際は浴水が減少しないように浴槽に給湯水の一部を所定の流量だけ注湯する湯張り機能を備えたものがある（例えば、実開平７−３９９０５号公報）。
【０００３】
同図において、１は浴水を保温或いは給水管２から供給された水を加熱し浴槽３に注湯する風呂用熱源であり、風呂用熱交換器４及びバーナー５を有する。６、７はそれぞれ浴槽３内の温水を循環する循環装置、浴水を浄化する濾過器であり、風呂用熱交換器４を含む風呂循環経路８内に設けられている。９、１０はそれぞれ濾過器７の入り口側、出口側に設けられた三方弁であり、濾過器７の通水方向を切り替えることで浴水の浄化、濾過器７の洗浄が可能となっている。また１１は濾過器７を洗浄した洗浄排水を排水する排水管であり、濾過器の入り口側に設けられた三方弁９に接続されている。１２は風呂用熱源に接続された給湯管でありその先端に給湯栓１３が接続されている。１６ａは三方弁１０の下流側の風呂循環経路８と給湯管１２を接続した湯張り管であり、逆止弁１４、電磁弁１５が設けられている。１６は風呂循環経路８に設けられ浴槽３へ吐出する流量を検知する通水量検知センサーである。
【０００４】
この構成において、循環装置６を運転すると浴水が循環され、下方側から上方側に微生物が繁殖した濾過器７を通過することで浴水に含まれるアンモニア及び蛋白質などを分解するとともに、風呂用熱交換器４によって一定温度に加熱され浴槽３に戻される。
【０００５】
また濾過器７を洗浄する際は、濾過器７の入り口側、出口側に設けられた三方弁で流路を切り替えて循環装置６を運転すると浴水が濾過器７の上方側から下方側に流れ、濾過器７内に付着していた汚れが排水管１１から外部に流し出される。またこの時浴槽３の湯が減少するのを防止するため、風呂用熱源１で生成した湯を湯張り管１６ａ、風呂循環経路８を介して浴槽３に注湯を行うようにしている。
【０００６】
【発明が解決しようとする課題】
しかしながら上記従来の浴水浄化装置では、微生物の分解作用により浴水を浄化するもので、濾過器７を洗浄する際は、濾過器７内に繁殖した微生物を死滅しないように洗浄する必要があり、強固に付着した汚れなどを除去すること、濾過器７内に繁殖した病原菌について除去洗浄することができないという課題があった。また微生物の酵素分解作用により浄化を行うもので、浄化速度が遅く、複数の人が続けて入浴した場合、１人目以降の人が入浴する際は十分な浄化がされないため、濁った状態の浴水に入浴しなければならないという課題があった。
【０００７】
【課題を解決するための手段】
本発明は上記課題を解決するため、浴槽内の被濾過水を循環する循環回路と、循環回路に設けられ被濾過水を循環せしめる強制循環手段と、被濾過水に含まれる懸濁物質を電気分解生成物質により凝集する凝集手段と、凝集手段の下流側に設けられ凝集手段で形成した凝集フロックを濾過する濾過手段と、濾過手段に濾過時とは逆方向に通水して濾過手段を洗浄する洗浄手段と、循環回路に接続された給湯手段と、前記濾過手段を洗浄する際の洗浄水を、先に前記給湯手段から供給される高温水に、次に浴槽の水に切替える洗浄水切替制御手段を備えたものである。
【０００８】
上記発明によれば、浴水を浄化する際は、凝集手段に通電して電気分解物質を生成し、懸濁水に含まれる懸濁物質と電気的に吸着させて凝集フロックを形成することで汚れを大型化する。つまり小さな粒子を大きな粒子に吸着させて除去するため短時間で濾過することができ、急速浄化性能が得られる。また濾過手段を洗浄する際は、洗浄水切替手段で給湯手段から供給する高温水と浴水を使用することができる。つまり、高温水の溶解力、分散力（ファンデルワールス力の増加、粘性の低下等）を生かして強固に付着した蛋白質等の汚れの洗浄、病原菌等の殺菌ができるようになり濾過手段の洗浄性能が向上する。
【０００９】
【発明の実施の形態】
本発明の請求項１に係る浴水浄化装置は、浴槽内の被濾過水を循環する循環回路と、循環回路に設けられ被濾過水を循環せしめる強制循環手段と、被濾過水に含まれる懸濁物質を電気分解生成物質により凝集する凝集手段と、凝集手段の下流側に設けられ凝集手段で形成した凝集フロックを濾過する濾過手段と、濾過手段に濾過時とは逆方向に通水して濾過手段を洗浄する洗浄手段と、循環回路に接続された給湯手段と、前記濾過手段を洗浄する際の洗浄水を、先に前記給湯手段から供給される高温水に、次に浴槽の水に切替える洗浄水切替制御手段を備えたものである。
【００１０】
そして浴水を浄化する際は、凝集手段に通電して電気分解物質を生成し、懸濁水に含まれる懸濁物質と電気的に吸着させて凝集フロックを形成することで汚れを大型化することで小さい汚れまで短時間で浄化することができる。また濾過手段を洗浄する際は、浴水を利用して洗浄することで濾過手段内に濾過分離されて堆積した汚れが外部に排出すると共に、洗浄水切替手段で先に給湯手段から供給する高温水を利用することで濾過手段内に強固に付着した蛋白質等の汚れが高温水の溶解力・分散力（ファンデルワールス力の増加、粘性の低下等）により剥離あるいは溶解する。さらに高温水を浴槽水より先に濾過手段に通水することで凝集手段により凝集して大型化した凝集フロックの架橋作用が弱まり凝集フロックが脆弱化するので、次に通水する浴槽水により容易に排出することが可能になる。さらに濾過手段内に繁殖した病原菌が殺菌洗浄される。よって濾過手段の浄化性能を低下させることなく、濾過手段の洗浄性が向上する。
【００１１】
本発明の請求項２に係る浴水浄化装置は、濾過手段を、給湯手段から供給する高温水で所定時間洗浄した後、浴槽の水を用いて所定時間洗浄する様に洗浄水切替制御手段を制御するものである。
【００１２】
そして、給湯手段から供給された高温水により所定時間逆流洗浄を行うことで、高温水の溶解性能により強固に付着した汚れが溶解するとともに、凝集して大型化した汚れの架橋作用の低下による凝集フロックの脆弱化し、さらに濾過手段内に繁殖した病原菌が殺菌され、濾過手段内の外部に排出される。しかし給湯手段の給湯能力により、充分な洗浄流量が得られずに残留する汚れがある可能性がある。本発明によれば高温水を用いた洗浄に引き続き浴槽の水で濾過手段を強制的に洗浄することで充分な洗浄流量が確保でき、濾過手段内に残留する汚れを外部に確実に排出することができる。
【００１３】
本発明の請求項３に係る浴水浄化装置は、洗浄手段に洗浄排水の汚れ度を検知する排水
センサーを備え、前記排水センサーで検知した洗浄排水の汚れ度が所定値以下になれば、洗浄水切替制御手段で給湯手段から供給する高温水を浴槽内の水に切り替える様に制御するものである。
【００１４】
そして、排水の汚れ度が増加している場合は、溶解可能な汚れが残留していると判断し、高温水で洗浄する。また排水の汚れ度が減少している場合は、浴水で洗浄する様に切り替え、残留している比較的大きな径の汚れを排出する。よって高温で溶解する汚れを確実に排出することになり、濾過手段の洗浄性が向上する。
【００１５】
本発明の請求項４に係る浴水浄化装置は、給湯手段から供給する高温水の温度を６０℃以上にするものである。
【００１６】
そして、濾過手段に濾過分離され堆積した汚れは殆ど人体から溶出した蛋白質等の有機物と石鹸成分が結合してできたものが多く、６０℃以上の高温にすることで比較的簡単に溶解することが可能となる。また濾過手段内に繁殖する細菌類は殆どが中温菌であり、生息温度は４３℃以下である。さらに、近年話題となっているレジオネラ肺炎の原因となるレジオネラ属菌は６０℃以下の温度領域では生息可能であるが、６０℃以上の高温下では数分で効果的に殺菌することが可能である。つまり、濾過手段内の汚れ、病原菌を効果的に洗浄・殺菌することができる。
【００１７】
本発明の請求項５に係る浴水浄化装置は、浴槽内の被濾過水を循環する循環回路と、前記循環回路に設けられ被濾過水を循環せしめる強制循環手段と、被濾過水に含まれる懸濁物質を電気分解生成物質により凝集する凝集手段と、前記凝集手段の下流側に設けられ前記凝集手段で形成した凝集フロックを濾過する濾過手段と、前記濾過手段に濾過時とは逆方向に通水して前記濾過手段を洗浄する洗浄手段と、循環回路の浴槽近傍の往き管及び戻り管をバイパスするバイパス回路と、循環回路に設けられた水温制御手段と、濾過手段及び水温制御手段を含む循環回路及びバイパス回路で閉回路を構成する閉回路形成手段を備え、閉回路を形成した状態で水温制御手段を動作させ、前記濾過手段に高温水を所定時間循環した後、前記濾過手段を浴槽の水を用いて洗浄する制御装置を有するものである。
【００１８】
そして、閉回路構成手段により濾過手段を含む閉回路を形成し、水温制御手段で閉回路内に高温水が浴槽水より先に循環する様にするので高温水の洗浄力により汚れ物質が溶解される。また浴槽内の水温を上昇させずに細菌類が繁殖しやすい濾過手段を含む循環回路を殺菌洗浄することができる。この結果濾過手段の洗浄と循環回路の洗浄が併せて行える。
【００１９】
本発明の請求項６に係る浴水浄化装置は、入浴時間帯設定手段と、濾過手段の目詰まり検知手段を備え、入浴設定時間帯に濾過手段の目詰まりを検知した場合は、洗浄水切替制御手段により、給湯手段から供給する高温水で濾過手段を所定時間洗浄した後、給湯手段の加熱部を停止し所定時間低温水で洗浄するものである。
【００２０】
そして、入浴時間帯設定手段により入浴時間帯であることを判断し、洗浄水切替制御手段により給湯手段から洗浄水を確保することで、入浴中に浴水の水位を低下させずに濾過手段を洗浄することができる。よって、快適な入浴が実現する。
【００２１】
本発明の請求項７に係る浴水浄化装置は、濾過手段内に洗浄液を供給する洗浄液供給手段を備え、濾過手段の洗浄前に洗浄液を濾過手段内に供給するものである。
【００２２】
そして、洗浄液が濾過手段内に送られると、濾過手段内に濾過分離され堆積していた汚れが洗浄液の持つ界面活性力により汚れが剥離溶解される。よって強固に付着していた汚
れでも洗浄液の洗浄作用を利用することで洗浄率を向上させることができる。
【００２３】
本発明の請求項８に係る浴水浄化装置は、入浴時間帯設定手段を備え、入浴設定時間帯の前後に濾過手段の洗浄を行うようにしたものである。
【００２４】
そして、入浴時間帯設定手段により、入浴の前後に確実に濾過手段を洗浄するようになる。よって入浴時の濾過手段の目詰まりにより流量が低下することなく入浴時の浄化性能を確保することができる。また入浴後に濾過分離した汚れを濾過手段内に堆積放置しないため細菌類の増殖の原因となる栄養分を除去することができ、濾過手段内での細菌を類の繁殖を低減することができる。
【００２５】
【実施例】
以下、本発明の実施例について図面を用いて説明する。
【００２６】
（実施例１）
図１は本発明の実施例１の水浄化装置の濾過動作状態を示す模式構成図、図２は同水浄化装置の洗浄動作状態を示す模式説明図である。図３は入浴時間帯設定時での濾過・洗浄動作を表すシーケンス図である。図１〜図２において、１７は浴槽１８内の水を循環する強制循環手段である循環ポンプ、１９は循環回路である。２０は循環回路１９に設けられた濾過手段であり、筐体２０ａと、内部に充填された粒状濾材２０ｂと、粒状濾材２０ｂを支持する濾床２０ｃとで構成されている。２１は濾過手段２０内で粒状濾材２０ｂの上流側に設けられた凝集手段であり、アルミニウムからなる陽電極２１ａ、ステンレスからなる陰電極２１ｂ、電極間を通電する電源２１ｃとで構成されている。２２は循環回路１９に設けられ循環する水の水温制御を行う水温制御手段であり、電気ヒータ２２ａとサーミスタ２２ｂとで構成されている。２３は循環回路１９に設けられ循環する水に含まれる細菌類を殺菌する殺菌手段である。２４は第一の流路切替弁（電動三方弁）であり循環ポンプ１７の往き側、濾過手段２０の上流側、排水管２５に接続するように設けられている。２６は第二の流路切替弁（電動三方弁）であり、濾過手段２０の下流側、浴槽１８への戻り側、循環ポンプ１７の吐出側を接続するように設けられている。濾過手段２０の洗浄逆洗手段は、循環ポンプ１７、循環回路１９の一部、第一の流路切替手段２４、第二の流路切替手段２６、排水管２５で構成されている。２７は給水管接続口２７ａと、ガスバーナー２７ｂ、熱交換器２７ｃ、給湯温度制御部２７ｄ（図示せず）、給湯管２７ｅ、二方弁２７ｆ、逆止弁２７ｇで構成された給湯手段であり、濾過手段２０の下流側と、第二の流路切替弁２６の間の循環回路１９に接続されている。２８は洗浄液貯蔵タンク２８ａ、送液ポンプ２８ｂ、逆止弁２８ｃ、送液管２８ｄで構成された洗浄液供給手段であり、濾過手段２０に接続されている。２９は浴槽１８内の水位を検知する水位検知手段であり、循環回路１９の浴槽１８側近傍に設けられている。３０は循環回路１９に設けられた目詰まり検知手段である流量検知センサである。３１は入浴時間帯を設定する入浴時間帯設定手段である。３２は上記した部品の動作等の制御を行うコントローラである。
【００２７】
次に濾過時の動作・作用を図１を用いて説明する。コントローラ３２により第一の流路切替弁２４が循環ポンプ１７と凝集手段２１を連通、第二の流路切替弁２６が浴槽１８の吐出側と濾過手段２０を連通の状態に切り替わり、循環ポンプ１７が動作する。循環ポンプ１７が動作すると、実線矢印で示すように、浴槽１８内の水が循環回路１９内を循環する。これと同時に凝集手段２１が動作、つまり電源２１ｃで陽電極２１ａ、陰電極２１ｂ間に電流が流れるようになり陽電極２１ａからアルミニウムイオンが溶出するようになる。アルミニウムイオンが溶出されると、水と化学反応を生じて電気的にプラスに帯電した水酸化アルミニウムが形成される。また循環する水には電気的にマイナスに帯電した懸濁物質が含まれているため、電気的に吸着され大型化し数十マイクロの径となる凝集フロックを形成する。形成された凝集フロックは下流側に流され濾過手段２０に充填された粒状
濾材２０ｂで濾過されて懸濁物質が除去（清澄化）され浴槽１８に戻される。この浴槽１８に戻される際には、コントローラ３２により水温制御手段２２で浴槽１８内が所定の温度になるように電気ヒータ２２ａで加熱されると共に、殺菌手段２３も動作し、循環する水が殺菌されている。この状態を継続されると、循環する水は清澄化されるが、濾過手段２０内の粒状濾材２０ｂで形成される濾材層の上方には凝集フロックが濾過分離され徐々に堆積する様になり、濾過手段２０の通水抵抗が増大し、循環流量が低下するようになる。
【００２８】
次に濾過手段２０の洗浄時の動作・作用を、図２を用いて説明する。循環流量が低下し、流量検知手段３０である流量センサーで検知する信号が所定値以下になれば、コントローラ３２により、第一の流路切替弁２４が排水管２５を連通、第二の流路切替弁２６が閉の状態に切り替わり、洗浄液供給手段２８が動作し、送液ポンプ２８ｂが洗浄液貯蔵タンク２８ａから洗浄液を、送液管２８ｄを通じて濾過手段２０内に所定量注入する。洗浄液が注入されると、濾過手段２０内に充填された粒状濾材２０ａや濾床２０ｂ、筐体２０ａ内面に強固に付着している汚れが洗浄液の界面活性作用により、剥離・溶解・分散されるようになる。
【００２９】
さらに洗浄液が濾過手段２０内に送られて所定時間経過すれば、コントローラ３２により、給湯手段２７の二方弁２７ｆが開になり、給水管接続口２７ａから水道水が流入する。これと同時にガスバーナー２７ｂが燃焼し、熱交換機２７ｃを通水することで水道水が受熱される。このとき給湯温度制御部２７ｄで給湯管２７ｅに送られる水が６０℃以上になっている。さらに給湯管２７ｅに送られた高温水（６０℃以上の水）は破線矢印で示すように、濾過手段２０の下方部から流入し、濾過手段２０内に充填している粒状濾材２０ｂを少しだけ上昇させる様に逆流する。このようになれば、粒状濾材２０ｂの上方に堆積していた凝集フロックの架橋作用が低下し凝集フロックが脆弱化する。またこのとき濾過手段２０内に繁殖していた細菌類が高温水により殺菌され死滅する様になる。さらに濾過手段２０内を洗浄した高温水は比較的小さい汚れを浮上させ排水管２５から外部に排出する。
【００３０】
さらに、高温水による洗浄が所定時間経過すれば、コントローラ３２により、第一の流路切替弁２４が排水管２５を連通、第二の流路切替弁２６が循環ポンプ１７の吐出側と濾過手段２０を連通の状態に切り替え、循環ポンプ１７が動作する。循環ポンプ１７が動作すると、実線矢印で示すように、浴槽１８内の水が循環回路１９の一部、循環ポンプ１７、第二の流路切替弁２６を通過し、濾過手段２０の下流側から流入し濾過手段２０内に充填された粒状濾材２０ｂを浮上攪拌させながら逆流するようになる。このようになれば濾過手段２０では洗浄液及び高温水により溶解・分散された凝集フロック等の汚れが水流と共に上方に流れ、第一の流路切替弁２４、排水管２５を通過して外部に排出されるようになる。尚、洗浄流量は高温水で洗浄する時より多くなる様に制御している。この洗浄動作が所定時間行われれば、コントローラ３２により再度濾過運転を行うように制御している。
【００３１】
次に図３を用いて、一日の濾過・洗浄、入浴時間帯の設定について説明する。入浴時間帯設定手段３１で循環濾過動作を行っている状態で入浴設定時間が近づくと自動的に入浴設定時間に間に合うように、また入浴設定時間が終了すると自動的にコントローラ３１での洗浄を行う様にコントローラ３２で制御している。さらに入浴設定時間中に循環流量が低下し、流量検知手段３０である流量センサーで検知する信号が所定値以下になれば、上記したように洗浄液供給手段２８による洗浄動作、給湯手段２７での高温水を用いた洗浄動作を行う、その後、給湯手段２７のガスバーナ２７ｂを停止して低温水が濾過手段２０に流入し低温水で洗浄され、内部に残留している汚れが濾過手段２０から外部に排出される。またこのとき給湯温度制御部２７ｄでは洗浄水の流量が増加するように制御されてい
るため濾過手段２０はきれいに洗浄できる。
【００３２】
以上本実施例では以下に示す効果がある。
【００３３】
（１）濾過手段の洗浄を行う際には先に洗浄液を濾過手段内に供給し、高温水で洗浄することで汚れ成分が溶解、分散するため、浴水を濾過時とは逆に通水することで簡単に且つきれいに洗浄することができる。また洗浄水を供給した後、高温水、浴水を逆向きに通水するため濾過手段内の洗浄液が自動的に排出できる。
【００３４】
（２）目詰まり検知手段である流量検知手段３０で、濾過手段２０の目詰まりを検知し、自動的に濾過手段２０を洗浄するため使用者は濾過手段２０を洗浄することなく装置の使い勝手が向上する。
【００３５】
（３）凝集手段２１を備えているため、急速浄化性能が確保できる。
【００３６】
（４）入浴時間帯を設定すると入浴時間の前後に自動的に濾過手段２０の洗浄を行うようになり、装置の目詰まりや細菌の繁殖を低減することができる。
【００３７】
（実施例２）
図４において、３３は排水管２５に設けられた洗浄排水の汚れ度を検知する排水センサーである。３４は排水センサー３３で検知した信号に基づき洗浄水切替制御手段の制御を含めて行うコントローラである。そのほかは実施例１と同様である。
【００３８】
濾過手段２０の洗浄時の動作・作用を、図４を用いて説明する。循環流量が低下し、流量検知手段３０である流量センサーで検知する信号が所定値以下になれば、コントローラ３４により、第一の流路切替弁２４が排水管２５を連通、第二の流路切替弁２６が閉の状態に切り替わり、洗浄液供給手段２８が動作し、送液ポンプ２８ｂが洗浄液貯蔵タンク２８ａから洗浄液を送液管２８ｄを通じて濾過手段２０内に所定量注入する。洗浄液が注入されると、濾過手段２０内に充填された粒状濾材２０ｂや濾床２０ｃ、筐体２０ａ内面に強固に付着している汚れが界面活性作用により、剥離・溶解・分散されるようになる。
【００３９】
さらに洗浄液が濾過手段２０内に送られて所定時間経過すれば、コントローラ３４により、給湯手段２７の二方弁２７ｆが開になり、給水管接続口２７ａから水道水が流入する。これと同時にガスバーナー２７ｂが燃焼し、熱交換機２７ｃを通水することで水道水が受熱される。このとき給湯温度制御部２７ｄで給湯管２７ｅに送られる水が６０℃以上になるようにしている。さらに給湯管２７ｅに送られた高温水（６０℃以上の水）は破線矢印で示すように、濾過手段２０の下方部から流入し、濾過手段２０内に充填している粒状濾材２０ｂを少しだけ上昇させる様に逆流する。このようになれば、粒状濾材２０ｂの上方に堆積していた凝集フロックの架橋作用が低下し、凝集フロックが脆弱化される。またこのとき濾過手段２０内に繁殖していた細菌類が高温水により殺菌され死滅する様になる。また濾過手段２０内を洗浄した高温水は比較的小さい汚れを排水管２５から外部に排出するようになる。この状態が継続されると小さな汚れが排出されると共に、高温水で溶解される汚れが溶解され排出され、排水汚れの濁り度合いが減少する。このとき排水管２５に設けられた排水センサー３３でも検知する汚れの濁りが減少し、所定値以下になればコントローラ３４により、第一の流路切替弁２４が排水管２５を連通、第二の流路切替弁２６が循環ポンプ１７の吐出側と濾過手段２０を連通の状態に切り替え、循環ポンプ１７が動作する。循環ポンプ１７が動作すると、実線矢印で示すように、浴槽１８内の水が循環回路１９の一部、循環ポンプ１７、第二の流路切替弁２６を通過し、濾過手段２０の下流側から流入し濾過手段２０内に充填された粒状濾材２０ｂを浮上攪拌しながら逆流するようになる。このようになれば濾過手段２０では洗浄液及び高温水により分解・溶解小型化
された凝集フロック等の汚れが水流と共に上方に流れ、第一の流路切替弁２４、排水管２５を通過して外部に排出されるようになる。尚、洗浄流量は高温水で洗浄する時より多くなる様に制御している。この洗浄動作が所定時間行われれば、コントローラ３４により再度濾過運転を行うように制御している。濾過時の動作、入浴時間設定時での動作は実施例１と同様であり省略する。
【００４０】
（実施例３）
図５は同水浄化装置の洗浄動作状態を示す模式説明図である。図５において、３５は濾過手段２０内に設けられた加熱手段であり、電気ヒータ３５ａとサーモスタット３５ｂとで構成されている。３６は加熱手段３５の制御を含めて行うコントローラである。そのほかは実施例１と同様である。
【００４１】
濾過手段２０の洗浄時の動作・作用を、図５を用いて説明する。循環流量が低下し、流量検知手段３０である流量センサーで検知する信号が所定値以下になれば、コントローラ３６により、第一の流路切替弁２４が排水管２５を連通、第二の流路切替弁２６が閉の状態に切り替わり、洗浄液供給手段２８が動作し、送液ポンプ２８ｂが洗浄液貯蔵タンク２８ａから洗浄液を送液管２８ｄを通じて濾過手段２０内に所定量注入する。洗浄液が注入されると、濾過手段２０内に充填された粒状濾材２０ｂや濾床２０ｃ、筐体２０ａ内面に強固に付着している汚れが洗浄液成分により、剥離・溶解・分散されるようになる。
【００４２】
さらに洗浄液が濾過手段２０内に送られて所定時間経過すれば、コントローラ３６により、加熱手段３５の電気ヒーターが通電され、濾過手段２０内が所定温度まで加熱される。このようになれば、濾過手段２０内に対流が起きると共に粒状濾材２０ａの上方に堆積していた凝集フロックの膜状のものが破壊されるとともに凝集フロックが脆弱化する様になる。またこのとき濾過手段２０内に繁殖していた細菌類が加熱殺菌され死滅する。濾過手段２０内が所定温度で所定時間加熱されれば、コントローラ３６により、第一の流路切替弁２４が排水管２５を連通、第二の流路切替弁２６が循環ポンプ１７の吐出側と濾過手段２０を連通の状態に切り替え、循環ポンプ１７が動作する。循環ポンプ１７が動作すると、実線矢印で示すように、浴槽１８内の水が循環回路１９の一部、循環ポンプ１７、第二の流路切替弁２６を通過し、濾過手段２０の下流側から流入し濾過手段２０内に充填された粒状濾材２０ｂを浮上攪拌しながら逆流するようになる。このようになれば濾過手段２０では洗浄液及び高温加熱により剥離・溶解・分散された凝集フロック等の汚れが水流と共に上方に流れ、第一の流路切替弁２４、排水管２５を通過して外部に排出されるようになる。この洗浄動作が所定時間行われれば、コントローラ３６により再度濾過運転を行うように制御している。濾過時の動作、入浴時間設定時での動作は実施例１と同様であり省略する。
【００４３】
以上本実施例では以下に示す効果がある。
【００４４】
（１）濾過手段２０を洗浄する際に高温で所定時間維持するため、例え濾過手段２０内に細菌が繁殖しても加熱して殺菌される。よって、細菌学的に汚染がなく、使用者が安心して使用できる。
【００４５】
（２）濾過手段２０内を高温にした後、濾過手段２０を浴水を用いて洗浄するため、高温水は外部に排出される。よって、続けて濾過運転を行っても高温水が浴槽１８内に流入することがなく安全である。
【００４６】
（実施例４）
図６は同水浄化装置の高温循環状態を示す模式説明図である。図６において３７、３８は循環回路１９の浴槽１８吐出側、吸込側にそれぞれ設けられた閉回路構成手段である第
三の流路切替弁、第四の流路切替弁である。３９は第三の流路切替弁３７、第四の流路切替弁３８を連結するバイパス管である。その他は実施例１と同じである。
【００４７】
濾過手段２０の洗浄時の動作・作用を図５を用いて説明する。循環流量が低下し、流量検知手段３０である流量センサーで検知する信号が所定値以下になれば、コントローラ４０により、第一の流路切替弁２４が排水管２５を連通、第二の流路切替弁２６が閉の状態に切り替わり、洗浄液供給手段２８が動作し、送液ポンプ２８ｂが洗浄液貯蔵タンク２８ａから洗浄液を送液管２８ｄを通じて濾過手段２０内に所定量注入する。洗浄液が注入されると、濾過手段２０内に充填された粒状濾材２０ｂや濾床２０ｃ、筐体２０ａ内面に強固に付着している汚れが洗浄液成分により、剥離・溶解・分解されるようになる。
【００４８】
さらに洗浄液が濾過手段２０内に送られて所定時間経過すれば、コントローラ４０により、第一の流路切替弁２４が循環ポンプ１７と凝集手段２１を連通、第二の流路切替弁２６が浴槽１８の吐出側と濾過手段２０を連通、第三の流路切替弁３７が第二の流路切替弁２６とバイパス管３９を連通、第四の流路切替弁３８の吸込側とバイパス管３９を連通する状態に切り替わり、循環ポンプ１７が動作し実線矢印に示すように水が循環する。さらに水温制御手段２２の電気ヒータ２２ａが通電され、濾過手段２０及び循環回路１９及びバイパス回路３９で形成される閉回路内が所定温度まで加熱される。このようになれば、循環回路１９内及び濾過手段２０内に堆積して付着している汚れや凝集フロックが溶解・分散される。またこのとき循環回路１９及び濾過手段２０内に繁殖していた細菌類が加熱され死滅する。さらに濾過手段２０内が所定温度で所定時間加熱されれば、コントローラ４０により、第一の流路切替弁２４が排水管２５を連通、第二の流路切替弁２６が循環ポンプ１７の吐出側と濾過手段２０を連通、第三の流路切替弁３７及び第四の流路切替弁３８のそれぞれバイパス管３９側が閉の状態に切り替えられ、循環ポンプ１７が動作する。循環ポンプ１７が動作すると、浴槽１８内の水が循環回路１９の一部、循環ポンプ１７、第二の流路切替弁２６を通過し、濾過手段２０の下流側から流入し濾過手段２０内に充填された粒状濾材２０ｂを浮上させながら逆流するようになる。このようになれば濾過手段２０では洗浄液及び高温循環時の加熱により剥離・溶解・分散された凝集フロック等の汚れが水流と共に上方に流れ、第一の流路切替弁２４、排水管２５を通過して外部に排出されるようになる。この洗浄動作が所定時間行われれば、コントローラ４０により再度濾過運転を行うように制御している。濾過時の動作、入浴時間設定時での動作は実施例１と同様であり省略する。
【００４９】
以上本実施例では以下に示す効果がある。
【００５０】
（１）循環回路１９内に高温水を循環することで、循環回路１９内の洗浄・高温殺菌ができる。よって、循環回路１９内が細菌学的に安全な状態に維持できる。
【００５１】
（２）高温水を循環することで、濾過手段２０内と循環回路１９内の溶解洗浄が同時にできる。
【００５２】
（３）循環回路１９に設けた水温制御手段２２は浴水の循環保温だけでなく、高温循環時にも使用することができる。
【００５３】
【発明の効果】
以上説明したように本発明の請求項１に係る浴水浄化装置は、濾過手段を洗浄する際は、先に前記給湯手段から供給される高温水で、次に浴水を利用して洗浄することで濾過手段内に濾過分離されて堆積した汚れが外部に排出される。すなわち、給湯手段から供給する高温水を浴槽水より先に利用して濾過手段内に強固に付着した汚れを溶解洗浄、凝集して大型化した汚れを脆弱化し分散して排出し易くすることができる。さらに濾過手段内に
繁殖した病原菌が殺菌洗浄できる。よって濾過手段の浄化性能を低下させることなく、濾過手段の洗浄性を向上することが可能となる。
【００５４】
また、請求項２に係る浴水浄化装置は、濾過手段を給湯手段から供給する高温水で所定時間洗浄した後、浴槽水を用いて所定時間洗浄する様にしたため、濾過手段内に強固に付着した汚れを溶解、凝集して大型化した汚れを脆弱にし、さらに溶解・分散することができる。さらに浴水を利用することで最適な洗浄流量を確保して洗浄することができる。つまり、汚れを排出しやすくした後、適正な流量で洗浄することで、汚れを確実に排出することができる。
【００５５】
また、請求項３に係る浴水浄化装置は、洗浄手段に洗浄排水の汚れ度を検知する排水センサーを備え、前記排水センサーで検知した洗浄排水の汚れ度が所定値以下になれば、洗浄水切替制御手段で給湯手段から供給する高温水を浴槽内の水に切り替える様に制御する
また、請求項４に係る浴水浄化装置は、高温水の温度を６０℃以上したため、濾過手段内に堆積した汚れである蛋白質等の有機物と石鹸成分が結合した金属石鹸成分や病原菌を効率的に溶解、分散、死滅させることができる。
【００５６】
また、請求項５に係る浴水浄化装置は、閉回路構成手段により濾過手段を含む循環回路に閉回路を形成し、水温制御手段によって高温水を循環させることで、浴槽内の水温を上昇させることなく細菌類が繁殖しやすい濾過手段を含む循環回路を殺菌洗浄することができる。また浴槽水より先に水温制御手段で閉回路内に高温水が循環する様にするので高温水の洗浄力により付着した汚れ物質を溶解、分散することができる。つまり、濾過手段内の汚れを排出し易くして洗浄効率の向上と濾過手段の洗浄と循環回路の洗浄が併せて行える。
【００５７】
また、請求項６に係る浴水浄化装置は、入浴設定時間帯である場合は、給湯手段から洗浄水を確保することで、いつでも適切な水位を確保することができ、快適な入浴が実現する。また洗浄温度を変化させることで洗浄性能が確保できる。
【００５８】
また、請求項７に係る浴水浄化装置は、濾過手段の洗浄に先立ち、洗浄液を濾過手段内に供給することで、洗浄液の持つ界面活性作用により濾過手段内に強固に付着していた汚れを簡単に洗浄することができ、濾過手段の洗浄性を向上することができる。
【００５９】
また、請求項８に係る浴水浄化装置は、入浴設定時間帯の前後に濾過手段の洗浄を行うことで、入浴時の濾過手段の目詰まりによる循環流量の低下を防ぐことができ、入浴時の浄化性能を確保することができる。また入浴後には細菌類の栄養源となる汚れを確実に排出することになり細菌類の繁殖を低減できる。
【図面の簡単な説明】
【図１】  本発明の実施例１における水浄化装置の濾過動作状態を示す模式構成図
【図２】  同水浄化装置の洗浄動作状態を示す模式説明図
【図３】  同水浄化装置の濾過・洗浄動作を表すシーケンス図
【図４】  本発明の実施例２における凝集手段および洗浄動作状態を示す模式説明図
【図５】  本発明の実施例３における濾過手段の構成を示す模式説明図
【図６】  本発明の実施例４における水浄化装置の高温循環状態を示す模式説明図
【図７】  従来の水浄化装置の模式構成図
【符号の説明】
１７  循環ポンプ
１８  浴槽
１９  循環回路
２０  濾過手段
２０ｂ  粒状濾材
２１  凝集手段
２１ａ  陽電極
２１ｂ  陰電極
２１ｃ  電源
２２  水温制御手段
２２ａ  電気ヒータ
２２ｂ  サーミスタ
２４  第一の流路切替弁
２６  第二の流路切替弁
２７  給湯手段
２７ｂ  ガスバーナー
２７ｃ  熱交換器
２７ｄ  給湯温度制御部
２７ｅ  給湯管
２８  洗浄液供給手段
２８ａ  洗浄液貯蔵タンク
２８ｂ  送液ポンプ
２８ｄ  送液管
２９  水位検知手段
３０  目詰まり検知手段
３１  入浴時間帯設定手段
３２，３４，３６  コントローラ
３３  排水センサー
３５  加熱手段
３５ａ  電気ヒータ
３５ｂ  サーミスタ
３７  第三の流路切替弁
３８  第四の流路切替弁
３９  バイパス管
【図１】
0003769900.tif 000002
【図２】
0003769900.tif 000003
【図３】
0003769900.tif 000004
【図４】
0003769900.tif 000005
【図５】
0003769900.tif 000006
【図６】
0003769900.tif 000007
【図７】
0003769900.tif 000008